(57)【特許請求の範囲】
【請求項１】
開口部が設けられ、当該開口部の第一の端部を有した筐体と、
前記開口部を覆い、前記第一の端部と対向する第二の端部を有した覆部と、
前記開口部から露出されたコネクタと、
前記第一の端部に第一の基点と第二の基点とが設けられ、前記第一の基点と前記第二の基点との間で前記第二の端部に対して傾斜した第一の部分を有する突出部と、
を備え、
前記第一の基点と前記第二の基点との間の第一の幅が、前記コネクタの前記第二の端部に沿った第二の幅よりも広い、電子機器。
【請求項２】
前記第一の基点は、前記突出部の長手方向の一方側の根元部分であり、前記第二の基点は、前記突出部の長手方向の他方側の根元部分である、請求項１に記載の電子機器。
【請求項３】
前記第一の部分は、曲線状に構成された、請求項１または２に記載の電子機器。
【請求項４】
複数の前記コネクタが前記第二の端部に沿って並び、
前記突出部は、複数の前記コネクタと対向するように設けられた、請求項１〜３のうちいずれか一つに記載の電子機器。
【請求項５】
前記突出部は、前記開口部の前記第一の端部の長手方向の両端部に亘って設けられた、請求項１〜４のうちいずれか一つに記載の電子機器。
【請求項６】
前記第二の端部に設けられ、前記突出部が引っ掛かる引掛部と、
前記突出部の長手方向の第三の端部と前記引掛部との間に介在された緩衝部材と、
を備えた、請求項１〜５のうちいずれか一つに記載の電子機器。
【請求項７】
開口部が設けられ、当該開口部の第一の端部を有した筐体と、
前記開口部を覆い、前記第一の端部と対向する第二の端部を有した覆部と、
前記開口部から露出されたコネクタと、
前記第二の端部に第一の基点と第二の基点とが設けられ、前記第一の基点と前記第二の基点との間で前記第一の端部に対して傾斜した第一の部分を有する突出部と、
を備え、
前記第一の基点と前記第二の基点との間の第一の幅が、前記コネクタの前記第一の端部に沿った第二の幅よりも広い、電子機器。
【発明の詳細な説明】
【技術分野】
【０００１】
本発明の実施形態は、電子機器に関する。
【背景技術】
【０００２】
従来、コネクタが露出する開口部が設けられた筐体と、開口部を覆う覆部と、を備え、筐体の開口部の端部と覆部の端部とに互いに引っ掛かる引掛部が設けられた電子機器、が知られている。
【先行技術文献】
【特許文献】
【０００３】
【特許文献１】特開２００９−６９４８１号公報
【発明の概要】
【発明が解決しようとする課題】
【０００４】
この種の電子機器では、例えば、覆部が開口部からより外れ難くなりやすい構成が得られれば、好ましい。
【課題を解決するための手段】
【０００５】
実施形態の電子機器は、例えば、筐体と、覆部と、コネクタと、突出部と、を備える。筐体は、開口部が設けられ、当該開口部の第一の端部を有する。覆部は、開口部を覆い、第一の端部と対向する第二の端部を有する。コネクタは、開口部から露出される。突出部は、第一の端部に第一の基点と第二の基点とが設けられ、第一の基点と第二の基点との間で第二の端部に対して傾斜した第一の部分を有し、第一の基点と第二の基点との間の第一の幅が、コネクタの第二の端部に沿った第二の幅よりも広い。
【図面の簡単な説明】
【０００６】
【図１】図１は、実施形態の表示装置を前側から見た例示的な斜視図である。
【図２】図２は、実施形態の表示装置を後側から見た例示的な斜視図である。
【図３】図３は、実施形態の表示装置の例示的な側面図である。
【図４】図４は、実施形態の表示装置の後側部材を取り外した状態の例示的な背面図である。
【図５】図５は、実施形態の表示装置の覆部および基板が示された例示的な斜視図である。
【図６】図６は、図２の一部の拡大図である。
【図７】図７は、実施形態の表示装置の覆部の例示的な斜視図である。
【図８】図８は、実施形態の表示装置の図９の状態となる前の状態での断面図である。
【図９】図９は、図６のIX-IX断面図である。
【図１０】図１０は、実施形態の表示装置の後側部材の一部の例示的な平面図である。
【図１１】図１１は、実施形態の表示装置の第二の引掛部とコネクタとの関係が示された例示的な平面図である。
【図１２】図１２は、図１１のXII-XII断面図である。
【図１３】図１３は、図１１のXIII-XIII断面図である。
【図１４】図１４は、図１１のXIV-XIV断面図である。
【図１５】図１５は、図１１のXV-XV断面図である。
【図１６】図１６は、図１１のXVI-XVI断面図である。
【図１７】図１７は、実施形態の第１変形例の表示装置の第二の引掛部の例示的な平面図である。
【図１８】図１８は、実施形態の第２変形例の表示装置の第二の引掛部の例示的な平面図である。
【図１９】図１９は、実施形態の第３変形例の表示装置の第二の引掛部の例示的な平面図である。
【発明を実施するための形態】
【０００７】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【０００８】
また、以下の実施形態では、電子機器がテレビジョン受像機として構成された場合が例示されるが、本実施形態の電子機器は、これには限定されない。本実施形態の電子機器は、例えば、テレビジョン受像機以外の映像表示装置や、モニタ装置等、種々の電子機器として構成することができる。
【０００９】
なお、以下の各図では、便宜上、方向が規定されている。Ｘ方向は、表示画面４ａに対する正面視での左方（開口部５の開口方向、筐体３の長手方向）、Ｙ方向は、上方（開口部５の長手方向、第一の方向、筐体３の短手方向）、Ｚ方向は、表示画面４ａの法線方向（手前方向、筐体３の厚さ方向）である。Ｘ方向、Ｙ方向、およびＺ方向は、相互に直交している。
【００１０】
図１，２に示されるように、テレビジョン受像機１（電子機器）は、例えば、支持部２（支部、台、スタンド）と、筐体３と、を備える。具体的に、支持部２は、机や、棚、台等の載置部（載置面、図示されず）上に載置され、筐体３を起立された状態に支持する。支持部２は、筐体３を固定的に支持してもよいし、移動可能（回転可能、スライド可能）に支持してもよい。筐体３の支持部２に対する移動形態（回転形態）としては、例えばチルトや、スイベル、ピボット等がある。
【００１１】
筐体３は、正面視および背面視では四角形状（例えば、長方形状）に構成されている。また、図３にも示されるように、筐体３は、前後方向（筐体３の厚さ方向、Ｚ方向）に薄い偏平な直方体状に構成されている。筐体３は、面３ａ（正面、前面、面部）と、その反対側の面３ｂ（背面、後面、面部）と、を有する。面３ａと面３ｂとは略平行である。また、図１に示されるように、筐体３は、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例であり、端部３ｄ，３ｆは、短辺部の一例である。また、筐体３は、例えば、部品（図示されず）を収容する収容部として機能するとともに、重量物（ディスプレイユニット４や部品等）を支える支部としても機能することができる。
【００１２】
また、筐体３は、例えば、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、それぞれ、四角形状（例えば、長方形状）である。また、筐体３は、壁部３ｋと壁部３ｍとの間に亘った面３ｐ（側面、周面、亘面）を有する四つの壁部３ｎ（部分、プレート、側壁部、端壁部、立壁部、亘部）を有する。なお、壁部３ｋには、四角形状の開口部３ｒが設けられている。よって、壁部３ｋは、四角形状かつ枠状である。
【００１３】
さらに、筐体３は、複数の部品（分割体、部材）が組み合わせられて構成されている。具体的に、筐体３は、例えば、少なくとも壁部３ｋを含む前側部材３Ｆｒ（第一部材、第一部分、カバー、ベゼル、フレーム、マスク）と、少なくとも壁部３ｍを含む後側部材３Ｒｒ（第二部材、第二部分、ベース、ボトム、プレート、カバー）と、を有する。また、壁部３ｎは、前側部材３Ｆｒおよび後側部材３Ｒｒのうち少なくとも一方（例えば、後側部材３Ｒｒ）に含まれる。筐体３、すなわち前側部材３Ｆｒおよび後側部材３Ｒｒは、例えば、金属材料や、合成樹脂材料等で構成されうる。
【００１４】
また、筐体３には、ディスプレイユニット４（表示部、ディスプレイ、パネル、表示部品）の少なくとも一部が収容されている。ディスプレイユニット４の、面３ａ側に位置した表示画面４ａは、開口部３ｒを介して筐体３の前方（外方）に露出している。使用者は、前方側から開口部３ｒを介して表示画面４ａを視認することができる。ディスプレイユニット４は、正面視では四角形状（例えば、長方形状）に構成されている。また、ディスプレイユニット４は、前後方向（ディスプレイユニット４の厚さ方向、Ｚ方向）に薄い偏平な直方体状に構成されている。ディスプレイユニット４は、例えば、液晶ディスプレイ（ＬＣＤ，Liquid  Crystal  Display）や、有機ＥＬディスプレイ（ＯＥＬＤ，Organic  Electro-Luminescent  Display）、プラズマディスプレイ（ＰＤＰ，Plasma  Display  Panel）等である。
【００１５】
また、ディスプレイユニット４の前側（表側、壁部３ｋ側）には、タッチパネル（タッチセンサ、入力操作パネル、操作部、図示されず）が設けられうる。タッチパネルは、透明な比較的薄い四角形状に構成され、表示画面４ａを覆う。ユーザ等は、例えば、手指や部品（例えば、スタイラス等）でタッチパネルに対して、触れる、押す、擦る、あるいは手指やスタイラス等をタッチパネルの近傍で動かす等の操作を行うことで、入力処理を実行することができる。また、ディスプレイユニット４の表示画面４ａから出た光は、タッチパネルを通過（透過）して壁部３ｋの開口部３ｒから筐体３の前方（外方）へ出る。
【００１６】
また、図２，３に示されるように、本実施形態では、例えば、筐体３の面３ｂを構成する壁部３ｍ（後側部材３Ｒｒ）には、図２の右側の領域に凹部５ａが設けられている。凹部５ａは、ＸＺ平面に沿った断面の形状がＬ字状であり、筐体３の短手方向（Ｙ方向）に沿って延びている。また、図６，８，９に示されるように、段差を構成する凹部５ａの底面５ｂと面３ｂの頂面３ｂ１（一般面）との間に、Ｘ方向およびＺ方向に開口したスリット状の開口部５が設けられている。開口部５は、凹部５ａの長手方向（筐体３の短手方向、Ｙ方向、第一の方向）に沿って延びている。この開口部５から、複数のコネクタ６（コネクタ端子、端子部、図６参照）が露出している。また、図２，４を参照すれば明らかとなるように、後側部材３Ｒｒは、ディスプレイユニット４の後面４ｂを覆っている。
【００１７】
また、図４に示されるように、ディスプレイユニット４の後面４ｂを成す後壁４ｃには、結合具８（例えば、ねじ等）によって基板７（回路基板、制御基板、電気部品、部品）が結合（固定）されている。基板７は、正面視では四角形状（例えば、長方形状）に構成されている。基板７は、ディスプレイユニット４と略平行に設けられている。また、図５に示されるように、基板７は、ディスプレイユニット４の後面４ｂに当該後面４ｂと間隔をあけて設けられている。また、基板７は、壁部３ｋ，３ｍ，３ｎ等と離間した状態で、すなわち壁部３ｋ，３ｍ，３ｎ等との間に空間（隙間）が形成された状態で、設けられうる。
【００１８】
また、基板７には、例えば、ＣＰＵ（Central  Processing  Unit）や、グラフィックコントローラ、電源回路部品、ＰＣＨ（Platform  Controller  Hub）、電源コイル、素子等の複数の部品７ａを実装することができる。また、制御回路は、例えば、映像信号処理回路や、チューナ部、ＨＤＭＩ（High-Definition  Multimedia  Interface、登録商標）信号処理部、ＡＶ（Audio  Video）入力端子、リモコン信号受信部、制御部、セレクタ、オンスクリーンディスプレイインタフェース、記憶部（例えば、ＲＯＭ（Read  Only  Memory）、ＲＡＭ（Random  Access  Memory）、ＨＤＤ（Hard  Disk  Drive）、ＳＳＤ（Solid  State  Drive）等）、音声信号処理回路等、を含むことができる。制御回路は、ディスプレイユニット４の表示画面４ａでの映像（動画や静止画等）の出力や、スピーカ（図示されず）での音声の出力、ＬＥＤ（Light  Emitting  Diode、図示されず）での発光等を制御する。
【００１９】
また、図４，５に示されるように、基板７の右辺７ｂ（辺部、縁部、端部）の近傍には、その右辺７ｂに沿って、複数のコネクタ６が互いに間隔をあけて実装されている。コネクタ６としては、例えば、カードソケットや、ＵＳＢ（Universal  Serial  Bus）端子、ＬＡＮ（Local  Area  Network）ケーブル用ソケット、ＲＣＡ端子、Ｄ端子、Ｓ端子、ＤＶ端子、ＲＦ（Radio  Frequency）端子、ＳＣＡＲＴ端子、ＳＤＩ（Serial  Digital  Interface）端子、オーディオ用ピン端子等がある。図６に示されるように、複数のコネクタ６は、後側部材３Ｒｒに設けられた開口部５から、筐体３の側方（外方、Ｘ方向）へ露出している。図４に示されるように、基板７の右辺７ｂは、端部３ｆに沿って当該端部３ｆと略平行に延びている。また、図２，３に示されるように、開口部５も端部３ｆに沿って当該端部３ｆと略平行に延びている。よって、基板７の右辺７ｂは開口部５の長手方向（Ｙ方向、第一の方向）に沿って延びている。複数のコネクタ６は、開口部５の長手方向（Ｙ方向、第一の方向）に沿って並んでいる。
【００２０】
また、図４〜６に示されるように、基板７の右辺７ｂ（開口部５）に沿って、覆部１１（カバー、サイドカバー、蓋部）が設けられている。覆部１１は、基板７の右辺７ｂ、すなわち開口部５の長手方向（Ｙ方向、第一の方向）に沿って延びている。これにより、基板７の右辺７ｂが覆部１１で覆われるため、基板７が開口部５を介して外部へ露出するのが、抑制される。覆部１１には、複数の開口部１３が設けられており、これら開口部１３からコネクタ６が露出している。すなわち、覆部１１は、開口部５を部分的に覆う（塞ぐ）カバーであるとともに、右辺７ｂ（基板７）をその側方から部分的に覆うカバーである。本実施形態では、例えば、基板７に覆部１１が取り付けられたアセンブリ１０（基板アセンブリ、サブアセンブリ）が、ディスプレイユニット４に取り付けられている。
【００２１】
また、図７に示されるように、覆部１１は、例えば、壁部１１ａ（縦壁、立壁、起立壁）と、壁部１１ｂ（底壁、下壁、基壁）と、壁部１１ｃ（天壁、上壁、頂壁）と、を有する。壁部１１ａは、基板７の右辺７ｂに面し（対向し）かつディスプレイユニット４の後面４ｂ（図５参照）上に起立した姿勢（後面４ｂと交叉した姿勢）で、右辺７ｂに沿って帯状に延びている。壁部１１ｂは、壁部１１ａに後面４ｂ側で接続され、後面４ｂに沿って帯状に延びている。壁部１１ｃは、壁部１１ａに後面４ｂとは反対側で接続され、後面４ｂと平行に帯状に延びている。図８，９に示されるように、壁部１１ｂおよび壁部１１ｃは、壁部１１ａから互いに反対方向（Ｘ方向およびその反対方向）に延びている。すなわち、相互に接続された壁部１１ａ、壁部１１ｂ、および壁部１１ｃによって、覆部１１のＸＺ平面に沿った断面は、Ｓ字状（クランク状）に形成されている。
【００２２】
また、図７に示されるように、壁部１１ａには、コネクタ６を露出させる複数の開口部１３が設けられている。開口部１３は、例えば、壁部１１ａをその厚さ方向（筐体３の長手方向、Ｘ方向）に沿って貫通した貫通孔として構成されている。開口部１３は、例えば、一つまたは複数のコネクタ６に対応して設けられることができる。
【００２３】
また、図７に示されるように、壁部１１ａの後面１１ｅには、基板７側（壁部１１ｂとは反対側）に突出した複数（例えば、二つ）の突出部１１ｆが設けられている。複数の突出部１１ｆは、壁部１１ａの長手方向（開口部５の長手方向、Ｙ方向）の両側の端部１１ｇ，１１ｈに設けられている。なお、図７には、端部１１ｇ側の突出部１１ｆのみが示されている。図４に示されるように、本実施形態では、例えば、突出部１１ｆをそれぞれ貫通した結合具９（例えば、ねじ等）によって、覆部１１が基板７に結合（固定）される。
【００２４】
また、図７に示されるように、覆部１１には、壁部１１ａおよび壁部１１ｂの外縁に沿って凹部１７（段差部）が設けられている。具体的に、凹部１７は、壁部１１ａと壁部１１ｂとの接続部を除く壁部１１ａ，１１ｂの周囲を取り囲むように、壁部１１ａの短手方向（幅方向、Ｚ方向）の他方側の端部１１ｋ（先端部）、壁部１１ａの長手方向（Ｙ方向）の両側の端部１１ｇ，１１ｈ、壁部１１ｂの長手方向（Ｙ方向）の両側の端部１１ｉ，１１ｊ、および壁部１１ｂの短手方向（幅方向、Ｘ方向）の一方側の端部１１ｍ（先端部）、に沿って設けられている。端部１１ｋ，１１ｍの凹部１７は、壁部１１ａ，１１ｂの長手方向（Ｙ方向）に沿って延びている。端部１１ｇ，１１ｈの凹部１７は、壁部１１ａの短手方向（Ｚ方向）に沿って延び、端部１１ｋの凹部１７と繋がっている。端部１１ｉ，１１ｊの凹部１７は、壁部１１ｂの短手方向（Ｘ方向）に沿って延び、端部１１ｇ，１１ｈ，１１ｍの凹部１７とそれぞれ繋がっている。そして、各凹部１７の側面１７ａ（段差面、周面、底面）と、図６に示される後側部材３Ｒｒ（筐体３）の開口部５の端部３ｓ，３ｔ，３ｕ，３ｖ，３ｗ，３ｘとが互いに対向する（突き合わせられる）。これにより、覆部１１の外面（例えば、壁部１１ｂの上面１１ｄ）と後側部材３Ｒｒの外面（例えば、凹部５ａの底面５ｂ）とが連なって配置されやすく、美観が向上されやすい。
【００２５】
また、図７〜９に示されるように、覆部１１の端部１１ｍ（の凹部１７の側面１７ａ）と、後側部材３Ｒｒの端部３ｘとには、互いに引っ掛かる引掛部１５，１６が設けられている。具体的に、引掛部１５は、壁部１５ａ（縦壁、立壁、起立壁）と、壁部１５ｂ（底壁、下壁、基壁）と、壁部１５ｃ（天壁、上壁、頂壁）と、を有する。引掛部１５には、これら三つの壁部１５ａ，１５ｂ，１５ｃによって引掛部１６側（端部３ｘ側）に向けて解放された略Ｃ字状（略Ｕ字状）の断面形状を有した開口部１５ｄ（凹部、溝部）が設けられている。図９に示されるように、本実施形態では、この開口部１５ｄに引掛部１６が収容される。そして、引掛部１５の壁部１５ｃは、開口部１５ｄに引掛部１６が収容された状態で、引掛部１６の少なくとも一部と筐体３の厚さ方向（Ｚ方向）に重なる縁部１５ｅ（縁、端面、先端面）を有する。このような構成により、引掛部１５と引掛部１６とが、筐体３の厚さ方向（Ｚ方向）に互いに引っ掛かり、当該厚さ方向（Ｚ方向）に離間するのが抑制される。本実施形態では、端部１１ｍは、第二の端部の一例である。なお、壁部１５ｃは、壁部１１ｂの一部を構成している。
【００２６】
引掛部１６は、突出部１６ａ（凸部、突起部、爪部、フック部）を有する。突出部１６ａは、筐体３の厚さ方向（Ｚ方向）の視線で引掛部１５（壁部１５ｃ）と重なる状態に端部３ｘから突出している。また、突出部１６ａの底面５ｂとは反対側（筐体３内側）には、傾斜面１６ｂが設けられている。傾斜面１６ｂは、後側部材３Ｒｒの取付方向（装着方向）である筐体３の厚さ方向（Ｚ方向）に対して傾斜している。具体的に、傾斜面１６ｂは、凹部５ａの底面５ｂとは反対側の面５ｃから底面５ｂ側（筐体３外側）に向かって徐々に端部３ｘから離れるように傾斜している。前側部材３Ｆｒとディスプレイユニット４とのサブアセンブリに後側部材３Ｒｒが筐体３の厚さ方向（Ｚ方向）に後側から近づけられて取り付けられる際にあっては、覆部１１と後側部材３Ｒｒとは、図８に示される状態から図９に示される状態に変化する。この場合、図８に示されるように覆部１１が後側部材３Ｒｒから筐体３の厚さ方向（Ｚ方向、装着方向）に離間した状態から、図９に示されるように覆部１１が後側部材３Ｒｒに取り付けられた状態となるまでの間に、壁部１５ｃ（引掛部１５）と傾斜面１６ｂ（突出部１６ａ）との接触によって覆部１１および後側部材３Ｒｒのうち少なくとも一方が弾性変形しつつ突出部１６ａが壁部１５ｃを乗り越えることにより、壁部１５ｃと突出部１６ａとが互いに引っ掛かる。傾斜面１６ｂによって、後側部材３Ｒｒを覆部１１に取り付ける作業が、より容易に、あるいはより円滑に行われうる。本実施形態では、端部３ｘは、第一の端部の一例である。
【００２７】
そして、図１０に示されるように、本実施形態では、例えば、突出部１６ａ（の縁部１６ｅ）は、筐体３の厚さ方向（Ｚ方向）の視線で、曲率半径の大きな円弧状（曲線状）に構成されている。すなわち、突出部１６ａ（の縁部１６ｅ）は、開口部５の長手方向（Ｙ方向、端部１１ｍ）に対して傾斜した第一の部分１６ｅ１（傾斜部）を有している。第一の部分１６ｅ１の端部１１ｍ（Ｙ方向、開口部５の長手方向）に対する傾斜角度は、０°より大きく９０°より小さい。なお、第一の部分１６ｅ１（傾斜部）は、本実施形態のような円弧状（曲線状）のものを含む。また、図１０〜１６に示されるように、突出部１６ａの突出量、すなわち、突出部１６ａと壁部１５ｃとの重なり幅Ａ１〜Ａ３は、突出部１６ａの長手方向（開口部５の長手方向、Ｙ方向、第一の方向）の端部１６ｆ，１６ｇ側ほど小さく、当該長手方向の中央部側ほど大きい。すなわち、Ａ１＜Ａ２＜Ａ３である。よって、覆部１１が後側部材３Ｒｒに取り付けられる際に、端部３ｘの突出部１６ａと端部１１ｍの壁部１５ｃとが筐体３の厚さ方向（Ｚ方向）に互いに押されると、まずは突出部１６ａの長手方向（Ｙ方向）の端部１６ｆ，１６ｇが壁部１５ｃを乗り越える。そして、突出部１６ａが壁部１５ｃを乗り越える位置が、当該長手方向（Ｙ方向）の端部１６ｆ，１６ｇ側から中央部側に徐々に移動し、最終的に突出部１６ａの全体が壁部１５ｃの全体を乗り越える。こうして、引掛部１５と引掛部１６とが互いに引っ掛かった状態が得られる。よって、本実施形態によれば、例えば、突出部１６ａの縁部１６ｅと引掛部１５の縁部１５ｅとが筐体３の厚さ方向（Ｚ方向）の視線で互いに直交する場合に比べて、突出部１６ａは、より円滑に壁部１５ｃを乗り越えることができ、ひいては、引掛部１５と引掛部１６とが引っ掛かる状態がより容易に得られる。なお、筐体３の厚さ方向（Ｚ方向）の視線で、縁部１５ｅと第一の部分１６ｅ１（縁部１６ｅ）との交わる角度は、例えば４５°以下、好ましくは３０°以下、本実施形態では、例えば２°の鋭角である。また、図１１では、便宜上、引掛部１６の突出部１６ａが示されているが、実際には壁部１５ｃの裏側（凹部１５ｄ）に隠されている（収容されている）。
【００２８】
また、図１１に示されるように、突出部１６ａの、開口部５の長手方向（Ｙ方向、第一の方向）に沿った幅Ｗ１は、複数のコネクタ６のうちいずれか一つの当該長手方向（Ｙ方向、第一の方向）に沿った幅Ｗ２よりも広い。具体的に、突出部１６ａは、例えば、後側部材３Ｒｒの開口部５（端部３ｘ）の長手方向（Ｙ方向）の一方側の端部３ｗと他方側の端部３ｖとに亘って設けられている。すなわち、突出部１６ａは、長手方向（Ｙ方向）の一方側のコネクタ６よりも一方側の位置Ｐ１と、長手方向（Ｙ方向）の他方側のコネクタ６よりも他方側の位置Ｐ２と、の間で端部３ｘから突出し、複数のコネクタ６と対向するように設けられている。本実施形態では、位置Ｐ１は、突出部１６ａの第一の基点の一例であり、位置Ｐ２は、突出部１６ａの第二の基点の一例である。このように、突出部１６ａは、位置Ｐ１（第一の基点）と位置Ｐ２（第二の基点）との間で、端部３ｘから端部１１ｍ（の壁部１５ｃ）側に突出している。また、突出部１６ａは、位置Ｐ１（第一の基点）と位置Ｐ２（第二の基点）との間で端部１１ｍ（縁部１５ｅ）に対して傾斜した第一の部分１６ｅ１を有する。そして、位置Ｐ１（第一の基点）と位置Ｐ２（第二の基点）とを結ぶ線分（仮想直線）の幅Ｗ１は、コネクタ６の端部１１ｍ（Ｙ方向）に沿った幅Ｗ２よりも広い。本実施形態では、突出部１６ａの基点とは、突出部１６ａの突出方向（Ｘ方向）において最も後方に位置された突出部１６ａの根元の部分である。すなわち、第一の基点（位置Ｐ１）は、突出部１６ａの長手方向（Ｙ方向）の一方側の根元部分であり、第二の基点（位置Ｐ２）は、突出部１６ａの長手方向（Ｙ方向）の他方側の根元部分である。また、突出部１６ａの幅Ｗ１は、複数のコネクタ６のうち長手方向（Ｙ方向）に沿った幅Ｗ２が最も広いコネクタ６（例えば、カードソケット）よりも広い。また、突出部１６ａは、少なくとも一つのコネクタ６に対向して、当該コネクタ６の長手方向（Ｙ方向）の一方側と他方側との間で突出している。このような構成により、例えば、突出部１６ａの長手方向（Ｙ方向）の幅がコネクタ６の長手方向（Ｙ方向）の幅より狭い場合に比べて、コネクタ６から入力された外力が覆部１１に伝達された場合に、当該外力によって突出部１６ａと壁部１５ｃとの引っ掛かりが解除されるのが、抑制されやすい。なお、コネクタ６に入力される外力としては、例えば、作業者が他のコネクタをコネクタ６に装着する場合、あるいは他のコネクタをコネクタ６から外す（引き抜く）場合に生じる力等がある。本実施形態では、幅Ｗ１は、第一の幅の一例であり、幅Ｗ２は、第二の幅の一例である。
【００２９】
また、図１２，１６に示されるように、本実施形態では、例えば、突出部１６ａの両側の端部１６ｆ，１６ｇと引掛部１５の壁部１５ｂとの間に、緩衝部材１８が設けられている。緩衝部材１８は、突出部１６ａが開口部１５ｄに収容された状態で、凹部５ａの面５ｃと接触する。すなわち、壁部１５ｃと突出部１６ａとが互いに引っ掛かった状態で、緩衝部材１８が突出部１６ａと壁部１５ｂとに挟まれて弾性的に圧縮されるよう、構成されている。これにより、例えば、突出部１６ａの振動、および当該振動に伴う音の発生が抑制されうる。また、例えば、重なり幅が比較的小さい位置で、壁部１５ｃ（引掛部１５）と突出部１６ａ（引掛部１６）との引っ掛かりが、不本意に解除されてしまうのが抑制されうる。本実施形態では、端部１６ｆおよび端部１６ｇは、第三の端部の一例である。なお、緩衝部材１８は、壁部１５ｂの端部（先端部）を囲うように設けられている。これにより、緩衝部材１８が壁部１５ｂから外れるのが抑制されやすい。
【００３０】
また、図８，９に示されるように、後側部材３Ｒｒの端部３ｓは、壁部３ｂから当該壁部３ｂと交叉する方向（例えば、直交方向）に突出し、凹部１７の側面１７ａ（段差面）と対向する（突き合わせられる）。この状態で、図６に示される壁部３ｂを貫通した結合具１２（例えば、ねじ等）が、図７に示される壁部１１ｃの開口部１４（例えば、ボス穴）に結合（固定）されることにより、端部１１ｋ，３ｓ側（引掛部１５，１６とは反対側）では、後側部材３Ｒｒと覆部１１とが互いに結合される。
【００３１】
以上、説明したように、本実施形態では、例えば、開口部５の端部３ｘ（第一の端部）を有した後側部材３Ｒｒ（筐体３）と、開口部５を覆い、端部３ｘと対向する端部１１ｍ（第二の端部）を有した覆部１１と、開口部５から露出されたコネクタ６と、端部３ｘに位置Ｐ１（第一の基点）と位置Ｐ２（第二の基点）とが設けられ、位置Ｐ１（第一の基点）と位置Ｐ２（第二の基点）との間で端部１１ｍ（縁部１５ｅ、Ｙ方向）に対して傾斜した第一の部分１６ｅ１を有する突出部１６ａと、を備え、位置Ｐ１（第一の基点）と位置Ｐ２（第二の基点）との間の幅Ｗ１（第一の幅）が、コネクタ６の端部１１ｍ（Ｙ方向）に沿った幅Ｗ２（第二の幅）よりも広い。よって、本実施形態によれば、例えば、突出部１６ａは、より円滑に端部１１ｍの壁部１５ｃを乗り越えることができ、ひいては、突出部１６ａと端部１１ｍの壁部１５ｃとが引っ掛かる状態がより容易に得られる。また、例えば、突出部１６ａの幅Ｗ１がコネクタ６の幅Ｗ２より狭い場合に比べて、突出部１６ａと端部１１ｍの壁部１５ｃとの引っ掛かりが解除されるのが、抑制されやすい。すなわち、本実施形態によれば、後側部材３Ｒｒ（筐体３）と覆部１１との取付作業が容易となりつつ、覆部１１が後側部材３Ｒｒ（筐体３）の開口部５からより外れ難くなりやすい。
【００３２】
また、本実施形態では、例えば、突出部１６ａの少なくとも一部（第一の部分１６ｅ１）は、曲線状に構成されている。よって、本実施形態によれば、例えば、突出部１６ａ（縁部１６ｅ）に角部が設けられた場合に比べて、突出部１６ａが端部１１ｍの壁部１５ｃを乗り越える位置がより円滑に移動しやすい。よって、例えば、突出部１６ａと端部１１ｍの壁部１５ｃとが引っ掛かる状態がより容易に得られる。また、本実施形態では、例えば、突出部１６ａ（の縁部１６ｅ）は、筐体３の厚さ方向（Ｚ方向）の視線で、曲率半径の大きい円弧状（曲線状）に構成されている。よって、例えば、曲率半径が小さい場合に比べて、突出部１６ａと端部１１ｍの壁部１５ｃとが引っ掛かる状態がより一層容易に得られる。
【００３３】
また、本実施形態では、例えば、突出部１６ａは、端部１１ｍ（Ｙ方向、開口部５の長手方向）に沿って並んだ複数のコネクタ６と対向するように設けられている。よって、本実施形態によれば、例えば、突出部１６ａが端部１１ｍの壁部１５ｃに長手方向（Ｙ方向）のより長い範囲に亘って引っ掛けられる。よって、例えば、突出部１６ａが長手方向（Ｙ方向）に沿って部分的に設けられる構成と比べて、突出部１６ａと端部１１ｍの壁部１５ｃ、すなわち後側部材３Ｒｒと覆部１１とが互いによりしっかりと接続されやすい。
【００３４】
また、本実施形態では、例えば、突出部１６ａは、開口部５の端部３ｘの長手方向（Ｙ方向）の両端部、すなわち開口部５の長手方向（Ｙ方向）の一方側の端部３ｗと他方側の端部３ｖとに亘って設けられている。よって、本実施形態によれば、例えば、突出部１６ａと端部１１ｍの壁部１５ｃ、すなわち後側部材３Ｒｒ（筐体３）と覆部１１とが互いにより一層強固に接続されうる。
【００３５】
また、本実施形態では、例えば、端部１１ｍ（第二の端部）に設けられ、突出部１６ａが引っ掛かる引掛部１５と、突出部１６ａの長手方向（Ｙ方向）の両側の端部１６ｆ，１６ｇ（第三の端部）と引掛部１５（の壁部１５ｂ）との間に介在された緩衝部材１８と、を備える。よって、本実施形態によれば、例えば、突出部１６ａの振動、および当該振動に伴う音の発生が抑制されうる。
【００３６】
なお、本実施形態では、突出部１６ａ（の縁部１６ｅ）は、筐体３の厚さ方向（Ｚ方向）の視線で曲率半径の大きな円弧状（曲線状）に構成されたが、本実施形態は、これに限定されない。例えば、図１７に示される第１変形例の引掛部１６Ａのように、突出部１６ａ（の縁部１６ｅ）は、筐体３の厚さ方向（Ｚ方向）の視線で台形状に構成されてもよいし、図１８に示される第２変形例の引掛部１６Ｂように、突出部１６ａ（の縁部１６ｅ）は、筐体３の厚さ方向（Ｚ方向）の視線で波線状に構成されてもよい。引掛部１６Ａ，１６Ｂの突出部１６ａは、それぞれ、端部３ｘ（第一の端部）の位置Ｐ１（第一の基点）と位置Ｐ２（第二の基点）との間で端部１１ｍ（第二の端部）側に突出している。この引掛部１６Ａ，１６Ｂにあっても、傾斜した第一の部分１６ｅ１によって、引掛部１６と同様の作用効果を得ることができる。
【００３７】
また、引掛部１６，１６Ａ，１６Ｂは、それぞれ、開口部５の長手方向（Ｙ方向、第一の方向）の両側の端部３ｖ，３ｗに亘った一つの突出部１６ａで構成されたが、例えば、図１９に示される第３変形例のように、引掛部１６Ｃは、開口部５の長手方向（Ｙ方向、第一の方向）に沿って並んだ複数の突出部１６ａ１によって構成されてもよい。第３変形例では、それぞれの突出部１６ａ１は、筐体３の厚さ方向（Ｚ方向）の視線で三角形状に構成されている。なお、それぞれの突出部１６ａ１は、筐体３の厚さ方向（Ｚ方向）の視線で円弧状（曲線状）や台形状等で構成されてもよい。突出部１６ａ１は、それぞれ、端部３ｘ（第一の端部）の位置Ｐ１（第一の基点）と位置Ｐ２（第二の基点）との間で端部１１ｍ（第二の端部）側に突出している。また、位置Ｐ１（第一の基点）と位置Ｐ２（第二の基点）との間の幅Ｗ３は、それぞれ、少なくとも一つのコネクタ６の端部１１ｍ（縁部１５ｅ、Ｙ方向）に沿った幅（例えば、幅Ｗ２、図１１参照）よりも大きい。この引掛部１６Ｃにあっても、傾斜した第一の部分１６ｅ１によって、引掛部１６と同様の作用効果を得ることができる。
【００３８】
また、本実施形態では、後側部材３Ｒｒの右側の領域に、筐体３の厚さ方向（Ｚ方向）の視線で、凹部５ａがＩ字状に形成された場合が例示されたが、凹部５ａが筐体３の短手方向（Ｙ方向）および長手方向（Ｘ方向）に沿って延びるＬ字状に形成され、その凹部５ａの底面５ｂに沿う方向（例えば、側方および下方）に開口する開口部５に対応して二つの覆部１１が設けられてもよい。この場合、基板７の二辺（例えば、右辺および下辺）に取り付けられる二つの覆部１１のそれぞれの端部と、その端部と対向する後側部材３Ｒｒのそれぞれの端部とに、引掛部１５，１６を設けることができる。
【００３９】
また、本実施形態では、引掛部１５，１６が、覆部１１の端部１１ｍと後側部材３Ｒｒの開口部５の端部３ｘとに設けられた場合が例示されたが、覆部１１の端部１１ｋと後側部材３Ｒｒの開口部５の端部３ｓとに設けられてもよいし、覆部１１の端部１１ｅ（あるいは端部１１ｈ，１１ｉ，１１ｊ）と後側部材３Ｒｒの開口部５の端部３ｔ（あるいは端部３ｕ，３ｖ，３ｗ）とに設けられてもよい。また、本実施形態では、引掛部１６（突出部１６ａ）が後側部材３Ｒｒの端部３ｘに設けられ、引掛部１５が覆部１１の端部１１ｍに設けられたが、引掛部１６（突出部１６ａ）が覆部１１の端部１１ｍに設けられ、引掛部１５が後側部材３Ｒｒの端部３ｘに設けられてもよい。
【００４０】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。例えば、第二の引掛部（突出部）が鋸歯状に突出して第一の部分が一箇所となる構成であってもよい。この場合には、第二の引掛部（突出部）が第一の引掛部（壁部）を乗り越える位置が、第二の引掛部の長手方向の一方側から他方側に移動することになる。また、例えば、第一の引掛部の縁部と第二の引掛部の縁部との双方に傾斜した第一の部分が設けられてもよい。また、例えば、筐体の端部と覆部の端部とは直線状でなくてもよい。例えば、筐体の厚さ方向の視線で筐体の端部および覆部の端部のうち一方が凸形状で他方が凹形状であってもよい。
【符号の説明】
【００４１】
１…テレビジョン受像機（電子機器）、３…筐体、３ｘ…端部（第一の端部）、３ｖ，３ｗ…端部（両端部）、４…ディスプレイユニット、５…開口部、６…コネクタ、１１…覆部、１１ｍ…端部（第二の端部）、１５…引掛部、１６ａ…突出部、１６ｅ１…第一の部分、１６ｆ，１６ｇ…端部（第三の端部）、１８…緩衝部材、Ｐ１…位置（第一の基点）、Ｐ２…位置（第二の基点）、Ｗ１…幅（第一の幅）、Ｗ２…幅（第二の幅）、Ｘ…筐体の厚さ方向、Ｙ…筐体の短手方向（突出部の長手方向、開口部（第一の端部）の長手方向）。
【図１】
0006377488.tif 000002
【図２】
0006377488.tif 000003
【図３】
0006377488.tif 000004
【図４】
0006377488.tif 000005
【図５】
0006377488.tif 000006
【図６】
0006377488.tif 000007
【図７】
0006377488.tif 000008
【図８】
0006377488.tif 000009
【図９】
0006377488.tif 000010
【図１０】
0006377488.tif 000011
【図１１】
0006377488.tif 000012
【図１２】
0006377488.tif 000013
【図１３】
0006377488.tif 000014
【図１４】
0006377488.tif 000015
【図１５】
0006377488.tif 000016
【図１６】
0006377488.tif 000017
【図１７】
0006377488.tif 000018
【図１８】
0006377488.tif 000019
【図１９】
0006377488.tif 000020